(57)【要約】      （修正有）【課題】対象とする建築物に対応して容易に養生を行なえるようにする。特に、養生のために中空体を使用することで、養生の安全性を確保するとともに、重量の著しい軽量化を達成し、養生に要する経費の削減を図った軽量構造の養生装置を提供する。【解決手段】解体工事や建築工事において躯体の周囲に設置し、工事に伴って発生し、環境に悪影響を与える事象が工事現場の外部に及ぶのを防止する養生装置として、躯体１１の周囲にパネル状に配置し、かつ、気体を内部に注入して膨張させるために気密性の袋状構造を有する養生用中空体１２と、上記養生用中空体１２と躯体１１を結合する任意の結合手段１７、を具備して軽量構造の養生装置を構成する。【選択図】図１
2016030888.tif 000002
【特許請求の範囲】
【請求項１】
解体工事や建築工事において躯体の周囲に設置し、工事に伴って発生し、環境に悪影響を与える事象が工事現場の外部に及ぶのを防止する養生装置であって、
躯体の周囲に配置し、かつ、気体を内部に注入して膨張させるために気密性の袋状構造を有する養生用中空体と、
上記養生用中空体と躯体を結合する任意の結合手段、
を具備して構成された軽量構造の養生装置。
【請求項２】
気体が空気であり、養生用中空体は空気注入、排出口を備えている
請求項１記載の軽量構造の養生装置。
【請求項３】
気体が加熱空気であり、加熱空気はバーナーにより加熱され、かつ、ポンプにより養生用中空体に送気されるように構成された
請求項１又は２記載の軽量構造の養生装置。
【請求項４】
気体がヘリウムガスであり、養生用中空体はヘリウムガスの注入、排出口を備えている
請求項１記載の軽量構造の養生装置。
【請求項５】
養生用中空体は、動力を用いることなく得られる自己浮力又は動力により獲得される動力浮力の少なくとも一方を具備している
請求項１ないし４のいずれかに記載の軽量構造の養生装置。
【請求項６】
動力浮力はファンを内蔵して浮力を発揮し得る浮上機構を具備して構成されている
請求項５記載の軽量構造の養生装置。
【請求項７】
躯体は、その上下方向に沿って設けたガイドレールと、ガイドレールに沿って昇降可能な移動体から構成される昇降機構を備えており、移動体と養生用中空体が継手により結合されている
請求項１記載の軽量構造の養生装置。
【請求項８】
養生用中空体は、ワイヤーロープによりウインチと繋がっており、ウインチを巻き取り巻きゆるめることにより、上下位置を調節可能に構成されている
請求項７記載の軽量構造の養生装置。
【発明の詳細な説明】
【技術分野】
【０００１】
本発明は、解体工事や建築工事において躯体の周囲に設置し、工事に伴って発生し、環境に悪影響を与える事象が工事現場の外部に及ぶのを防止する軽量構造の養生装置に関するものである。
【背景技術】
【０００２】
解体工事や建築工事では環境に悪影響を与える事象が工事に伴って発生することから、そうした事象が工事現場の外部に及ぶのを防止するために、「養生」と呼ばれる措置が広く行なわれている。特に、最近実施されたものに自動昇降式養生足場というものがあり、それは解体工事に際して躯体外周に設置される、枠組み足場に防音パネルを張り、躯体を取り囲むという構成を有している。
【０００３】
上記の自動昇降式養生足場では、防音パネルを足場に取り付けるためにかなりの手数が必要である。建物の規模にもよるが、例えば、地上十数階、間口数十メートルの標準的な建築物では、組み立て・解体期間として約一カ月が必要であり、装備重量は約１００ｔに及ぶことになる。また、養生工事に要する経費も当然厖大なものとなり、解体工事や建築工事における大きな負担となっていた。
【０００４】
このため、本件発明者は防音パネルの機能を果たす部材の軽量化について、鋭意研究を行なってきた。先行技術を調査した結果、特開昭５８−２１３９５７号に工事養生設備の発明が見出され、それは構築物を覆うテントとテントを吊り上げる複数個の気球から構成されている。しかしながら、テントでは風にあおられ易く、また、テントを吊り上げる気球も風の影響を強く受けるので、適用可能な対象は限定される。
【０００５】
一方、特開平７−７１１２０号はビルの天井部周縁の仮設足場に、天井部を覆うビル構築用シートを取り付け、その内側に浮力部材を配置するという発明を開示している。この方法によれば、浮力部材なども風の影響を受けることが少ないと考えられる。しかし、浮力部材が浮遊する構成なので、仮設足場の位置が一定しない問題がある。また、天井部以外の部分は覆われず、新たに対策を講じる必要がある。
【０００６】
【特許文献１】特開昭５８−２１３９５７号
【特許文献２】特開平７−７１１２０号
【発明の開示】
【発明が解決しようとする課題】
【０００７】
本発明は前記の実情に鑑みてなされたもので、その課題は、対象とする建築物に対応して容易に養生を行なえるようにすることである。また、本発明の他の課題は、養生のために中空体を使用することで、養生の安全性を確保するとともに、重量の著しい軽量化を達成し、養生に要する経費の削減を図ることである。
【課題を解決するための手段】
【０００８】
前記の課題を解決するため、本発明は、解体工事や建築工事において躯体の周囲に設置し、工事に伴って発生し、環境に悪影響を与える事象が工事現場の外部に及ぶのを防止する養生装置として、躯体の周囲に配置し、かつ、気体を内部に注入して膨張させるために気密性の袋状構造を有する養生用中空体と、上記養生用中空体と躯体を結合する任意の結合手段を具備して構成するという手段を講じたものである。
【０００９】
本発明は建物、構築物などと呼ばれるものの解体工事や建築工事を対象とする養生装置であり、その工事に伴って発生し、環境に悪影響を与える事象、すなわち、工事によって起こる事物、事柄、例えば、騒音、溶接火花の飛散等の現象、部材や器具工具その他様々な物の落下等の弊害が工事現場の外部に及ぶのを防止する。本発明はそうした養生装置について、軽量構造化技術を適用し、前記課題を解決するものである。
【００１０】
本発明の装置は、躯体の周囲に配置し、かつ、気体を内部に注入して膨張させるために気密性の袋状構造を有する養生用中空体を具備している。なお、本発明において躯体とは当業界における一般的な意味と同じであり、従って、建物の主要な構造体、又は、骨組みのことをいう。
【００１１】
気密性の袋状構造を構成する材料は軽量、かつ、工事中及ぼされる外力、外乱に耐え得る丈夫なものであることが望まれる。この目的には、例えば、難燃材としての機能を有する 化学繊維を用いて織布を形成し、その裏面に、防音材としての機能を有するフィルムを張り合わせたシート材、或いは樹脂を塗布して気密性を持たせたシート材などの素材が適している。特に軽量化の必要がある場合には、例えば、ナイロン６６製フィルム、ポリエステルフィルムなど、気球や飛行船の外皮に適した素材が有効である。
【００１２】
養生用中空体は躯体の周囲に配置するパネル状のものであるから、躯体の周囲に配置された状態で、養生用中空体はパネル状である。しかしながら、養生用中空体を構成する要素までパネル状でなければならない必要性はない。従って、複数個のパネル要素を組み合わせて、パネル状に構成することは当然可能である。
【００１３】
養生用中空体を、上記とは逆に、任意の大きさの１個のパネルとして構成し、その内部を複数個の気室に分割した構成とすることも可能である。各気室が独立していれば、一部が破損しても他の部分に破損の影響が及ばず、全体の機能が損なわれることはないからである。なお、パネルは単純な袋状構造が扱い易いが、或いは折り畳み式の骨格を持ちそれを外皮で覆った構造も適用可能である。
【００１４】
本発明において、養生用中空体の内部に気体を注入するが、その気体には空気又は空気以外の気体が使用される。空気については、外気温とほぼ同等の空気と、外気温よりも高温の加熱空気を使用することができ、後者の場合には温度に応じた浮力を利用可能になるので、より軽量化が可能である。
【００１５】
気体が空気であるときには、養生用中空体は空気注入、排出口を備えていれば良いが、気体が加熱空気である場合には、加熱空気がバーナーにより加熱され、かつ、ポンプにより養生用中空体に送気されるように構成する必要がある。また、気体がヘリウムガスであるときには、養生用中空体はヘリウムガスの注入、排出口を具備する。
【００１６】
さらに、本発明の装置は、上記袋状気中空体と躯体を結合する任意の結合手段を具備して構成される。結合手段は、従来技術において防音パネルを足場に取り付ける結合手段との比較において、支持部分に掛かる重量を除けば、特に変わるものではなく、公知の任意の固定技術を利用できる。
【００１７】
本発明の装置については浮力を用いることが想定されている。本発明において浮力は、自己浮力と動力浮力という概念から成る。自己浮力は動力を用いない浮力であり、動力浮力は動力により獲得される浮力である。本発明の装置は、自己浮力又は動力浮力の少なくとも一方を具備する。従って、本発明における浮力は一般的な意味での浮力そのものではなく、浮かぶように移動させる力をも含んでいる。
【００１８】
そこで、まず、２０℃における自己浮力について検討すると、理科年表によれば、０℃の空気の密度は０．００１２９３ｇ／ｃｍ３（１．２９３ｋｇ／ｍ３）である。
次式、σ＝・ｇ／ｃｍ３                                  （１）
から、２０℃の空気密度は０．００１２１ｇ／ｃｍ３（１．２１ｋｇ／ｍ３）、８０℃の空気密度は１．００ｇ／ｃｍ３（１．００ｋｇ／ｍ３）である（Ｈ＝７６０（１ａｔｍ）、有効数字３桁とする）。それらの差は、１．２１−１．００＝０．２１（ｋｇ／ｍ３）である。つまり、一立米当たり０．２１ｋｇの浮力が得られるので１００００ｍ３の養生用中空体では２１００ｋｇの浮力が得られることになる。
【００１９】
一方、ヘリウムガスの密度は、理科年表から、０．１７８５（ｋｇ／ｍ３）であり（ただし、ヘリウムガス密度の温度変化に対する換算式が不明のため０℃の数値である。）、差を取ると、１．２９−０．１８＝１．１１（ｋｇ／ｍ３）となる。温度が異なることを考慮しなければならないが、ヘリウムガスでは加熱空気に対して５倍余りの浮力が得られるので、５分の１未満の容積で同等の浮力を得られることが分かる。
【００２０】
また、動力浮力としては、例えばファンを内蔵して浮力を発揮し得る浮上機構を使用することができる。浮上機構は、本発明の装置を設置するとき、上昇させるときなど、必要に応じて作動させ、それ以外のときは作動させなくて良い。故に、非加熱の空気を気体とする装置においても有効な浮力を与えることができる。
【００２１】
また、躯体は、その上下方向に沿って設けたガイドレールと、ガイドレールに沿って昇降可能な移動体から構成される昇降機構を備えており、移動体と養生用中空体が継手により結合される構成を取ることができる。このとき、養生用中空体は、ワイヤーロープによりウインチと繋がっており、ウインチを巻き取り巻きゆるめることにより、上下位置を調節可能に構成される。
【発明の効果】
【００２２】
本発明は以上のように構成され、かつ、作用するものであるから、躯体の周囲に軽量構造の養生装置を設置することによって、対象となる建築物に対応した養生工事を容易に行なえるという効果を奏する。また、本発明によれば、養生のために軽量な中空体を使用することで、養生の安全性を確保するとともに、重量の著しい軽量化を達成し、養生に要する経費の削減を図ることができる。
【発明を実施するための最良の形態】
【００２３】
以下、図示の実施形態を参照して本発明に係る軽量構造の養生装置について、より詳細に説明する。図１及び図２は本発明に係る例１の軽量構造の養生装置１０を解体工事に適用する場合のもので、建物の側面を示しており、主要な構造体である躯体１１の周囲を取り囲むように、軽量構造の養生装置１０が設置されている。
【００２４】
本発明の養生装置１０は、気体を内部に注入して膨張させるために気密性の袋状構造を有する養生用中空体１２から構成されている。養生用中空体１２は複数個の小袋状構造のパネル要素１３から成り、パネル要素１３を組み合わせ全体としてもパネル状に構成しているものである。図示していないが、パネル要素１３はその内部がさらに複数の小室に分割された構成であっても良い。
【００２５】
上記躯体１１は、その上下方向に沿って設けたガイドレール１４と、ガイドレール１４に沿って昇降可能な移動体１６から構成される昇降機構１５を備えている（図２参照）。昇降機構１５は養生用中空体１２の昇降用であり、養生用中空体１２と移動体１６は継手により結合されている。また、継手は、袋状気中空体１２と躯体１１を結合する任意の結合手段１７を構成する。
【００２６】
例１では、昇降機構１５を備えているので、解体工事の進行に伴って養生用中空体１２を下降又は上昇させることができる。そのために、養生用中空体１２は、ワイヤーロープ１８によりウインチ１９と繋がっており、ウインチ１９を巻き取り巻きゆるめることにより、上下位置を調節可能に構成されている。
【００２７】
なお、結合手段１７として昇降移動は必須要件ではなく、例えば、壁繋ぎのように固定式の結合手段を選択することも当然に可能である。また、昇降機構１５に加えて、袋状気中空体１２と躯体１１を、壁繋ぎのように、結合する結合手段を併用することも想定される。
【００２８】
このように構成されている、本発明の例１の場合は気体が空気であるので、養生用中空体１２の昇降のために動力により獲得される動力浮力のための手段を具備している。その動力浮力はファンを内蔵して浮力を発揮し得る浮上機構２４であり、養生用中空体１２の外面又はそれを構成するパネル要素１３の外面に取り付けられている。
【００２９】
この浮上機構２４は、ダクトの内部にファンを装備し、ファンは、例えば、電動モーターにより駆動される。そしてその電力源としては、より軽量化のために、躯体１１又は地上に装備した動力線又は電池電源からの配線でまかなう方式を取ることが望ましい。上記養生用中空体１２は空気注入のための注入口と排出口を備えている。注入口と排出口は同一の接続口でも各独立の接続口でも良い。
【００３０】
気体が空気である場合、さらに、加熱空気を用いることが可能である。そこで加熱空気を用いるものを例２の養生装置２０として説明すると、これは加熱空気を加熱するバーナー２１と、加熱空気を養生用中空体に送気するポンプ２２を、例１の発明に追加装備することで構成することができる（図３参照）。２３は送気パイプを示す。他の構成は例１と同様で良いので符号を援用し、詳細な説明は省略する。
【００３１】
例２の養生装置２０は、動力により獲得される動力浮力とともに、自己浮力を養生用中空体１２が具備する例である。例２の養生装置によれば、前記したように、加熱空気の温度を８０℃として１００００ｍ３の養生用中空体で２１００ｋｇの自己浮力を得ることができる。例２の加熱空気利用の場合、自己浮力のみにより養生装置を浮上させることは困難であるが、養生装置の荷重を著しく軽減することができるのでその効果は大きい。
【００３２】
さらに、本発明では、自己浮力による養生用中空体という構成の養生装置３０を提供することができる（図４参照）。この、動力を用いることなく得られる形態を本発明の例３として説明する。図４において、例３の基本的な構成は例１と同様に描かれているが、例３では、自己浮力により荷重の相当割合の負担が可能なので養生用中空体１２と躯体１１を結合する任意の結合手段１７のみでも、養生装置３０の主要な部分が構成される。
【００３３】
従って、例３における気体としてヘリウムガスが使用され、養生用中空体１２はヘリウムガスの注入、排出口を備えている。また、例３において浮上機構２４は不要であるか、或いは補助的に使用される。前記の通り、ヘリウムガスでは加熱空気に対して５倍余りの浮力が得られ、２１００ｋｇの自己浮力を得るのに１０００ｍ３と単純計算できるから、養生用中空体１２は厚さ１ｍでは３２×３２（ｍ）ほどの大きさで済み、実用上も技術的な障害はない。
【００３４】
上記の例１、２及び３の全てについて、参照図面に昇降機構１５とウインチ１９が描かれている。しかし、本発明の軽量構造の養生装置１０、２０及び３０として昇降機構１５とウインチ１９は必須ではなく、必要に応じて削除し、また、追加することができる要素である。昇降機構１５とウインチ１９を削除したときに、養生用中空体１２と躯体１１は前記のように壁繋ぎ式に結合できる。
【００３５】
上記の例１、２及び３では養生用中空体１２として、工事中及ぼされる外力、外乱に耐え得るように、例えば、難燃材としての機能を有する 化学繊維を用いて織布を形成し、その裏面に、防音材としての機能を有するフィルムを張り合わせたシート材などの素材を使用する。また、ナイロン６６製フィルム、ポリエステルフィルムなど、気球や飛行船の外皮に適した素材は、軽量な点において有効であり、外力、外乱に対抗する性能を併せ考慮して素材を選択する。
【００３６】
本発明はこのように構成されているので、解体工事や建築工事において躯体の周囲に設置し、養生用中空体１２と躯体１１を任意の結合手段により結合することができるので、躯体外周に枠組み足場を設置する必要がなく、工期を数日程度と大幅に短縮可能になる。また、養生装置１０、２０、３０の重量については、背景技術に記載したものと同条件で１０ｔ程度と十分の一程度に軽量化が見込まれる。よって、工費の大幅な削減が可能になり、しかも、転倒しないので安全性を高められる。
【図面の簡単な説明】
【００３７】
【図１】本発明に係る軽量構造の養生装置の例１を示す正面説明図である。
【図２】同上の装置の側面説明図である。
【図３】同じく軽量構造の養生装置の例２を示す正面説明図である。
【図４】同じく軽量構造の養生装置の例３を示す正面説明図である。
【符号の説明】
【００３８】
１０、２０、３０  軽量構造の養生装置
１１  躯体
１２  養生用中空体
１３  パネル要素
１４  ガイドレール
１５  昇降機構
１６  移動体
１７  結合手段
１８  ワイヤーロープ
１９  ウインチ
２１  バーナー
２２  ポンプ
２３  送気パイプ
２４  浮上機構
【図１】
2016030888.tif 000003
【図２】
2016030888.tif 000004
【図３】
2016030888.tif 000005
【図４】
2016030888.tif 000006